(57)【特許請求の範囲】
【請求項１】
カードメディアとディスクメディアを装填して、両メディア間で画像ファイルのコピーを行なうことが出来る電子アルバム装置において、
一方のメディアから他方のメディアへ画像ファイルのコピーを行なうべき指令に応じ、コピー元のメディアにアクセスして、該メディアに格納されている１或いは複数の画像ファイルと、プリントすべき画像ファイルを指定すると共にプリントに必要なデータを設定するための自動プリントファイルとを認識するファイル認識手段と、
認識された自動プリントファイルの内容に基づいて、画像のプリントが指定されている画像ファイルを検知し、検知された画像ファイルのリストを作成するリスト作成手段と、
作成されたリストに基づいて、該リストに含まれる画像ファイルをコピー先のメディアへコピーするコピー手段
とを具えていることを特徴とする電子アルバム装置。
【請求項２】
更に、ユーザの操作に応じ、少なくとも何れか一方のメディアに格納されている１或いは複数の画像ファイルを対象として、自動プリントファイルを作成し、該メディアに格納するファイル作成手段を具えている請求項１に記載の電子アルバム装置。
【請求項３】
更に、ファイル認識手段によって自動プリントファイルの存在が認識されなかったときにコピー元であるカードメディアの全ての画像ファイルをコピー先であるディスクメディアへコピーする、第２のコピー手段を具えている請求項１又は請求項２に記載の電子アルバム装置。
【発明の詳細な説明】
【０００１】
【発明の属する技術分野】
本発明は、コンパクトフラッシュ(Compact Flash(登録商標)；以下、ＣＦカードという)や、スマートメディア(Smart Media(登録商標)；以下、ＳＭカードという)等の比較的小容量のカードメディアと、光磁気ディスク等の比較的大容量のディスクメディアとを対象として、カードメディアとディスクメディアの間で画像ファイルのコピーを行なうことが出来る電子アルバム装置に関するものである。
【０００２】
【従来の技術】
従来、デジタルカメラにおいては、撮影によって得られた画像データを記録するために、数十ＭＢ程度の容量を有する小型のメモリカードが用いられており、カメラ本体に設けられたメモリカードコネクターにメモリカードを差し込んだ状態で、該メモリカードに複数枚の静止画や動画のデータを記録することが可能である。
又、デジタルカメラによって画像データが記録されたメモリカードは、ラボ・プリントサービスに出すことによって、所望の画像をプリントすることが可能である。この場合、デジタルカメラの操作によって、プリントの枚数やプリントの条件を設定すれば、これらのデータを含む自動プリントファイルが作成されて、メモリカードに記録される。ラボ・プリントサービスにおいては、該自動プリントファイルに基づいて、画像データのプリントが行なわれる。
【０００３】
しかしながら、デジタルカメラによって１枚のメモリカードに記録出来る画像の枚数は限られており、多量の静止画を保存するには、多数枚のメモリカードが必要であるため、メモリカードの管理が煩雑となるばかりでなく、多量の静止画の中から所望の静止画を検索する場合、メモリカードを頻繁に差し替える必要があり、操作が煩雑であった。
【０００４】
そこで、出願人は、メモリカードの装填が可能であって、ユーザによる保存釦の操作に応じて、該メモリカードに記録されている全ての画像データを読み出して、内蔵せるＣＤ−Ｒ(Compact Disc-recordable)に記録することが出来る電子アルバム装置を開発した(特開2000-311106号[G06F12/00]参照)。
該電子アルバム装置においては、デジタルカメラの記録メディアがＣＦカードである場合とＳＭカードである場合を考慮して、ＣＦカードとＳＭカードの２種類のカードメディアをセットすることが可能であり、任意の何れか一方のカードメディアとＣＤ−Ｒの間でデータのコピーを行なうことが出来る。
該電子アルバム装置によれば、例えば６４０ＭＢの容量を有するＣＤ−Ｒに対して、メモリカード約１０枚分の静止画を書き込むことが出来るので、多量の静止画を対象とする一括管理が可能となる。
【０００５】
【発明が解決しようとする課題】
ところで、屋外でのデジタルカメラを用いた撮影によって１枚のカードメディアが画像データで満杯となった場合に、該カードメディアの画像データを上述の如き電子アルバム装置によってＣＤ−Ｒ等の大容量ディスクメディアにコピーすることが出来れば、複数枚のカードメディアを持ち歩く必要がなく、便利である。そこで、電子アルバム装置を携帯可能に小型化することが検討されている。
【０００６】
しかしながら、携帯型の電子アルバム装置においては、その小型化のために画像表示用のディスプレイが省略されることがあり、この場合、カードメディアからディスクメディアへの画像ファイルのコピーの際、コピーすべき画像を表示することが不可能であるため、画像ファイルを選択的にコピーすることが出来ない。
そこで本発明の目的は、携帯型の電子アルバム装置において、画像表示用のディスプレイを省略した場合であっても、メディア間で画像ファイルを選択的にコピーすることが出来る電子アルバム装置を提供することである。
【０００７】
【課題を解決する為の手段】
本発明に係る電子アルバム装置は、デジタルカメラによって作成される自動プリントファイルを利用することにより、上記目的を達成するものである。
即ち、本発明に係る電子アルバム装置は、
一方のメディアから他方のメディアへ画像ファイルのコピーを行なうべき指令に応じ、コピー元のメディアにアクセスして、該メディアに格納されている１或いは複数の画像ファイルと、プリントすべき画像ファイルを指定すると共にプリントに必要なデータを設定するための自動プリントファイルとを認識するファイル認識手段と、
認識された自動プリントファイルの内容に基づいて、画像のプリントが指定されている画像ファイルを検知し、検知された画像ファイルのリストを作成するリスト作成手段と、
作成されたリストに基づいて、該リストに含まれる画像ファイルをコピー先のメディアへコピーするコピー手段
とを具えている。
【０００８】
上記本発明の電子アルバム装置においては、予め自動プリントファイルが格納されている一方のメディアから他方のメディアへ、１或いは複数の画像ファイルのコピーを行なう。尚、自動プリントファイルの作成においては、例えばデジタルカメラにコピー元のメディアを装填し、デジタルカメラのディスプレイに画像を表示させながら、ラボ・プリントサービスによってプリントすべき画像を指定するときと同じ操作を行なえばよい。これによって、コピーすべき画像がプリントすべき画像として指定された自動プリントファイルが作成される。
【０００９】
ユーザが電子アルバム装置を操作して、一方のメディアから他方のメディアへ画像ファイルのコピーを行なうべき指令を与えると、先ず、コピー元のメディアに格納されている１或いは複数の画像ファイルと自動プリントファイルとが認識される。そして、認識された自動プリントファイルの内容に基づいて、画像プリントの指定されている画像ファイルが検知され、検知された画像ファイルのリストが作成される。その後、作成されたリストに基づいて、該リストに含まれる画像ファイルがコピー先のメディアへコピーされる。
【００１０】
具体的構成においては、更に、ユーザの操作に応じ、少なくとも何れか一方のメディアに格納されている１或いは複数の画像ファイルを対象として、自動プリントファイルを作成し、該メディアに格納するファイル作成手段を具えている。該具体的構成によれば、デジタルカメラを用いることなく、電子アルバム装置によって自動プリントファイルを作成することが出来る。
【００１１】
具体的構成においては、更に、ファイル認識手段によって自動プリントファイルの存在が認識されなかったときにコピー元であるカードメディアの全ての画像ファイルをコピー先であるディスクメディアへコピーする、第２のコピー手段を具えている。
該具体的構成によれば、ユーザは、自動プリントファイルを作成することなく、カードメディアからディスクメディアへ画像ファイルのコピーを指令することによって、カードメディアに格納されている全ての画像ファイルをディスクメディアへコピーすることが出来る。
【００１２】
【発明の効果】
本発明に係る電子アルバム装置によれば、所望の画像をプリントするためにデジタルカメラ等によって作成される自動プリントファイルを利用して、一方のメディアから他方のメディアへコピーすべき画像ファイルを指定することが出来るので、画像表示用のディスプレイを省略した場合であっても、メディア間で画像ファイルを選択的にコピーすることが可能である。
【００１３】
【発明の実施の形態】
以下、本発明の実施の形態につき、図面に沿って具体的に説明する。
本発明に係る電子アルバム装置は、図１に示す如く、携帯可能な小型の筐体(１)を具え、該筐体(１)の前面には、ＣＦカード挿入口(12)とＳＭカード挿入口(13)が開設されており、それぞれＣＦカード(２)とＳＭカード(３)を挿入することが出来る。ＣＦカード(２)は、ＣＦカード挿入口(12)へ挿入することによって、筐体(１)内にカード全体が収容されて、所定のデータ書込み／読出し位置(図示省略)にセットされる。ＳＭカード(３)は、ＳＭカード挿入口(13)へ挿入することによって、その一部が筐体(１)から外部へ突出した状態で、所定のデータ書込み／読出し位置(図示省略)にセットされる。
【００１４】
又、筐体(１)には、図１に示すディスク取出しレバー(20)の操作によって鎖線で示す如く開くカンガルーポケット式の蓋(11)が配備され、蓋(11)を開いた状態で、蓋(11)の裏側に設けられたホルダー(図示省略)へ光磁気ディスク(４)を装填した後、蓋(11)を閉じることによって、該光磁気ディスク(４)を所定の記録／再生位置にセットすることが出来る。
【００１５】
筐体(１)の表面中央部には、種々の情報を表示するためのディスプレイ(14)と、カードメディアとディスクメディアの間でデータのコピーを行なう際に操作すべき保存釦(15)と、ディスプレイ(14)に表示された複数の動作の中から１つの動作を設定する際に操作すべきセット釦(16)と、複数の動作の中から１つの動作を選択する際に操作すべき選択釦(19)と、選択した動作を取り消す際に操作すべき取消し釦(17)とが配備されている。
又、保存釦(15)の両側には、ＣＦカード(２)又はＳＭカード(３)から光磁気ディスク(４)へのデータのコピーが実行されるのか、或いは、光磁気ディスク(４)からＣＦカード(２)又はＳＭカード(３)へのデータのコピーが実行されるのかを示す、一対の矢印マークの第１ＬＥＤ(８)と第２ＬＥＤ(81)が配備されている。
更に又、筐体(１)の側面には、電源スイッチ(18)が配備されている。
【００１６】
上記電子アルバム装置においては、ＣＦカード(２)やＳＭカード(３)に、予めデジタルカメラで撮影した静止画や動画の画像データが書き込まれており、これらの画像データを光磁気ディスク(４)にコピーして蓄積することが出来る。
又、光磁気ディスク(４)に記録されている画像データをＣＦカード(２)或いはＳＭカード(３)に書き戻すことも可能である。
【００１７】
図２は、上記電子アルバム装置の機器構成を表わしており、主要回路として、所定の制御動作を実行するマイクロコンピュータ(５)と、マイクロコンピュータ(５)との間で通信を行ないつつ所定の信号処理を実行するＡＳＩＣ(51)とが装備されている。
ＡＳＩＣ(51)には、光磁気ディスク(４)を駆動するディスクドライブ装置(62)と、ＣＦカード(２)が差し込まれるＣＦカードコネクター(６)と、ＳＭカード(３)が差し込まれるＳＭカードコネクター(61)が接続されると共に、パーソナルコンピュータ等の外部機器を接続するためのＵＳＢコネクター(63)やＩＥＥＥ１３９４コネクター(64)が接続されている。
又、ＡＳＩＣ(51)には、種々のデータ処理に利用されるメモリ(52)が接続されている。
【００１８】
マイクロコンピュータ(５)には、ＣＦカード(２)を検出するためのカード検出器(７)と、ＳＭカード(３)を検出するためのカード検出器(71)が接続されると共に、前述の各種操作釦からなるキー入力装置(10)や、前述のディスプレイ(14)、第１ＬＥＤ(８)及び第２ＬＥＤ(81)が接続されている。
又、電源となる電池(54)の電力を各回路ブロックへ供給するための電源回路(53)が装備され、マイクロコンピュータ(５)によって電力供給動作が制御されている。
【００１９】
上記電子アルバム装置においては、筐体(１)内に光磁気ディスク(４)がセットされている状態で、ユーザが、画像データの書き込まれているＣＦカード(２)を筐体(１)のＣＦカード挿入口(12)へ挿入し、保存釦(15)を操作すると、ＣＦカード(２)から光磁気ディスク(４)へ画像データのコピーが行なわれる。又、画像データの書き込まれているＳＭカード(３)を筐体(１)のＳＭカード挿入口(13)に挿入し、保存釦(15)を操作すると、ＳＭカード(３)から光磁気ディスク(４)へ画像データのコピーが行なわれる。
尚、光磁気ディスク(４)からＣＦカード(２)又はＳＭカード(３)へ画像データのコピーを行なう場合には、モード選択で設定を切り換える。
【００２０】
又、ＣＦカード(２)或いはＳＭカード(３)から光磁気ディスク(４)への画像データのコピーにおいて、カードに自動プリントファイルが格納されている場合には、該自動プリントファイルによって指定される画像データのみがコピーされる。
図３は、カードに格納されている画像ファイルと自動プリントファイルのディレクトリ構造を表わしており、フォルダ“１００ＳＡＮＹＯ”の下に複数の画像ファイル(ＳＡＮＹ０００１.ＪＰＧ、ＳＡＮＹ０００２.ＪＰＧ、ＳＡＮＹ０００３.ＪＰＧ、ＳＡＮＹ０００４.ＴＩＦ、・・・)が格納されると共に、該フォルダとは異なるファイルパスにて、自動プリントファイル“ＡＵＴＰＲＩＮＴ.ｍｒｋ”が格納されている。
【００２１】
自動プリントファイル“ＡＵＴＰＲＩＮＴ.ｍｒｋ”はデジタルカメラによって作成されるものであり、図４に示す如く、デジタルカメラの機種名等を含むヘッダー部と、識別番号、プリントタイプ、プリント部数、フォーマット形式、ファイルパス等を含むジョブ記述部とから構成され、プリントすべき画像が複数の場合、各画像について１つのジョブ記述部が作成される。従って、プリントが指定されていない画像については、ジョブ記述部は作成されない。
【００２２】
図６及び図７は、ＣＦカード(２)又はＳＭカード(３)から光磁気ディスク(４)へ画像データをコピーするための制御手続きを表わしている。
先ずステップＳ１にて、何れか一方のカード検出器の出力がＬｏとなって、カードの装着が検出されたかどうかを判断し、ここで何れか一方のカードが装着されて、イエスと判断されると、ステップＳ２に移行して、保存釦が押下されたかどうかを判断する。
【００２３】
保存釦が押下されて、ステップＳ２にてイエスと判断されると、ステップＳ３では、ディスクの残容量がカードのデータ量を越えているかどうか、カードのデータが所定のデータ形式に準拠しているかどうか等、所定の保存条件が成立しているかどうかがチェックされる。
そして、ステップＳ４にてチェックの結果が異常(ノー)と判断されたときは、ステップＳ５に移行して、エラー表示を行なった後、ステップＳ１に戻る。これに対し、ステップＳ４にてチェックの結果が正常(イエス)と判断されたときは、ステップＳ６に移行して、自動プリントファイルが存在するかどうかを判断する。
【００２４】
カードに自動プリントファイルが存在しており、ステップＳ６にてイエスと判断されたときは、ステップＳ７にて、自動プリントファイルによってプリントが指定されている画像ファイルを検知して、それらの画像ファイルのリストを作成する。ここで、リストの総ファイル数をＸ、ファイル数をカウントするためのファイルカウントをＹ(初期値は０)とする。
【００２５】
ファイルリストの作成においては、先ず、図３に示すディレクトリ構造に含まれる複数の画像ファイル(例えば、ＳＡＮＹ０００１.ＪＰＧ、ＳＡＮＹ０００２.ＪＰＧ、ＳＡＮＹ０００３.ＪＰＧ、ＳＡＮＹ０００４.ＴＩＦ、・・・)を認識した後、自動プリントファイルのジョブ記述部の有無に基づいて、前記複数の画像ファイルの中でプリントが指定されている画像ファイルのファイル名を検知する。その後、それらのファイル名(例えば、ＳＡＮＹ０００１.ＪＰＧ、ＳＡＮＹ０００３.ＪＰＧ、ＳＡＮＹ０００８.ＪＰＧ、・・・)にそれぞれファイルパスを付して、図５に示す如きファイルリストを作成する。
【００２６】
この様にしてファイルリストを作成した後、図７のステップＳ９に移行して、ファイルリストの中のＹ番目の画像ファイルをディスクにコピーする。続いて、Ｙをカウントアップした後、ステップＳ１１にて、ファイルカウントが総ファイル数Ｘよりも小さいかどうかを判断する。ここでイエスと判断されたときは、ステップＳ９に戻って、画像ファイルのコピーを繰り返す。
【００２７】
その後、指定されている全ての画像ファイルのコピーが終了して、ステップＳ１１にてノーと判断されると、ステップＳ１２に移行して、コピー終了処理を実行する。
一方、図６のステップＳ６にてノーと判断されたときは、ステップＳ８にて、カードに格納されている全ての画像ファイルをディスクにコピーした後、図７のステップＳ１２に移行して、コピー終了処理を実行する。
その後、ステップＳ１３にて、前記カード検出器の出力がＬｏからＨｉとなって、カードの抜き取りが検出されたかどうかを判断する。ここでカードが抜き取られて、イエスと判断されたとき、手続きを終了する。
【００２８】
上記本発明の電子アルバム装置においては、予めデジタルカメラによって自動プリントファイルを作成しておけば、該自動プリントファイルを利用してカードからディスクへコピーすべき画像ファイルを指定することが出来るので、画像表示用のディスプレイを省略した場合であっても、画像ファイルを選択的にコピーすることが可能である。尚、デジタルカメラによって自動プリントファイルを作成する際には、デジタルカメラに装備されているディスプレイに画像を表示して、コピーすべき画像であるかどうかの確認を行なうことが出来る。
【００２９】
本発明の各部構成は上記実施の形態に限らず、特許請求の範囲に記載の技術的範囲内で種々の変形が可能である。例えば、ディスクからカードへの画像ファイルのコピーにおいても、自動プリントファイルを用いた同様の選択的コピーを行なうことが可能である。又、電子アルバム装置に、自動プリントファイル作成機能を付与することも可能である。
【図面の簡単な説明】
【図１】本発明に係る電子アルバム装置の外観を表わす斜視図である。
【図２】該電子アルバム装置の機器構成を示すブロック図である。
【図３】カードに作成されるディレクトリ構造を示す図である。
【図４】自動プリントファイルのデータ構造を表わす図である。
【図５】画像ファイルをコピーする際に参照すべきファイルリストを表わす図である。
【図６】カードからディスクへ画像ファイルをコピーするための手続きの前半を表わすフローチャートである。
【図７】同上手続きの後半を表わすフローチャートである。
【符号の説明】
(１)  筐体
(11)  蓋
(12)  ＣＦカード挿入口
(13)  ＳＭカード挿入口
(14)  ディスプレイ
(15)  保存釦
(４)  光磁気ディスク
(２)  ＣＦカード
(３)  ＳＭカード
(５)  マイクロコンピュータ
(51)  ＡＳＩＣ
(７)  カード検出器
(71)  カード検出器
【図１】
0003979806.tif 000002
【図２】
0003979806.tif 000003
【図３】
0003979806.tif 000004
【図４】
0003979806.tif 000005
【図５】
0003979806.tif 000006
【図６】
0003979806.tif 000007
【図７】
0003979806.tif 000008